Podtech/llm-jp-corpus-v4-ja_patent huggingface dataset:
(57)【要約】      （修正有） 【課題】小型で風船体の浮力のみで浮遊させることが可能な軽量な電源体を用いて、糸等と併用し野外にも携帯が可能な照明器具の提供。【解決手段】熱を発しないＬＥＤ（発光ダイオード）を使用することにより、風船体の熱による破裂を防ぎつつ、又、電池を使用することにより電源の無い場所へも携帯を可能にし、空気より軽いガスを注入することで、風船体の浮力のみで浮遊が可能な携帯照明器具として使用することを可能にした。【選択図】図１
0003121081.tif 000002
【実用新案登録請求の範囲】
【請求項１】
内部にガスを封入してなる風船体と、この風船体内に設けられた電池と、前記風船体内に設けられた発光ダイオードと、前記風船体内に設けられ、前記電池によって前記発光ダイオードが光るように回路構成するリード線とを備えていることを特徴とする浮遊可能携帯照明器具。
【請求項２】
風船体に封入してなるガスは、空気より軽く、空中に浮遊することを特徴とする請求項１記載の浮遊可能携帯照明器具。
【請求項３】
前記載の風船体に使用するガスは、使用目的に応じ、空気でも可とし、浮遊をさせずに使用する請求項１記載の浮遊可能携帯照明器具。
【考案の詳細な説明】
【技術分野】
【０００１】
本考案は電池と、ＬＥＤ（発光ダイオード）を使用したスイッチ付き光源本体を使用した浮遊可能携帯照明器具に関する。
【背景技術】
【０００２】
ＬＥＤ（発光ダイオード）を装備した本体に軽量な電源体を組み込む。
電源体は電池とする。スイッチ操作することによりＬＥＤ（発光ダイオード）を点灯させ、風船体に挿入し風船体を膨らませる。  
【特許文献１】特開２００５−３４７１６９
【考案の開示】
【考案が解決しようとする課題】
【０００３】
従来、小型で風船体の浮力のみで浮遊させることが可能な電源体を用いて、糸等と併用して野外にも携帯可能な照明器具とする事がなかった。
【課題を解決するための手段】
【０００４】
熱を発しないＬＥＤ（発光ダイオード）を使用することにより、風船体の熱による破裂を防ぎ、又、電池を使用することにより携帯を可能にし、空気より軽いガスを注入することで、浮遊が可能な携帯照明器具として使用することを可能にした。
【考案の効果】
【０００５】
よって、本考案の装置により、風船体の内部でＬＥＤ（発光ダイオード）を点灯させ、空気より軽いガスを注入し、浮遊が可能な照明器具となった。また、電源体に軽量な電池を使用することにより、電源のない箇所や屋外でも照明器具として使用が可能となった。電球や蛍光灯よりも長寿命のＬＥＤ（発光ダイオード）を使用した本装置は、ＬＥＤ（発光ダイオード）が磨耗しない限り使用でき、又風船体と電池は交換可能でもある。
【考案を実施するための最良の形態】
【０００６】
本考案に係る浮遊可能携帯照明器具１０は、図１に示すように、
本体中心部が電池ボックスとなっており、電池１を装着する。本体内部にＬＥＤ２が装備されており、３部分のスイッチを操作することにより、４部分のリード線の回路構成により発光する。
電池1をセットした後、スイッチをオンにした本体１０を、図２に示すように風船体２０に挿入し、風船体の吹き込み口より空気より軽いガス、又は空気を送り込む。使用目的に応じ、図４に示すように取っ手（フック）部品３０を本体１０に装着して使用することも可能である。
浮遊させる場合は、以降のバランスが好ましい。
風船体の浮力＞照明器具本体の重量  
【図面の簡単な説明】
【０００７】
【図１】本考案に係る浮遊可能携帯照明器具の断面図である。
【図２】本考案に係る浮遊可能携帯照明器具の使用模擬図（内部完全挿入型）である。
【図３】本考案に係る浮遊可能携帯照明器具の使用模擬図（口栓部停留型）である。
【図４】本考案に係る浮遊可能携帯照明器具に取っ手（フック）を装着した図である。
【符号の説明】
【０００８】
１      電池
２      ＬＥＤ（発光ダイオード）
３      スイッチ
４      リード線
１０      本体
２０      風船体
３０      取っ手（フック）
【図１】
0003121081.tif 000003
【図２】
0003121081.tif 000004
【図３】
0003121081.tif 000005
【図４】
0003121081.tif 000006
(57)【要約】【課題】  ２４時間「ＯＮ／ＯＦＦ」を繰り返すタイマーを動作させながら、時間がたてば「ＯＦＦ」タイマー機能を実現させる。【解決手段】  時間がたてば「ＯＦＦ」タイマーと２４時間「ＯＮ／ＯＦＦ」を繰り返すタイマーのそれぞれの出力電源を同一の出力電源端子に接続する。【選択図】図１
0003121009.tif 000002
【実用新案登録請求の範囲】
【請求項１】
時間がたてば「ＯＦＦ」タイマーと２４時間「ＯＮ／ＯＦＦ」を繰り返すタイマーとを組み合わせることにより、日々定刻の「ＯＮ／ＯＦＦ」が管理された電源でありながら、時間がたてば「ＯＦＦ」タイマーの動作を開始することができることを特徴とする電源タイマー。
【考案の詳細な説明】
【技術分野】
【０００１】  本考案は、電源に対するタイマーに関するものである。
【背景技術】
【０００２】  時間がたてば「ＯＦＦ」タイマーと２４時間「ＯＮ／ＯＦＦ」を繰り返すタイマーは、それぞれ既に一般的である。
【考案の開示】
【考案が解決しようとする課題】
【０００３】  時間がたてば「ＯＦＦ」タイマーと２４時間「ＯＮ／ＯＦＦ」を繰り返すタイマーのそれぞれの機能を同時に同一電源にて利用することができない。
【課題を解決するための手段】
【０００４】  時間がたてば「ＯＦＦ」タイマーと２４時間「ＯＮ／ＯＦＦ」を繰り返すタイマーのそれぞれの出力電源を同一の出力電源端子に接続する。
【考案の効果】
【０００５】  ２４時間「ＯＮ／ＯＦＦ」が管理された電源に対して、任意のタイミングにて時間がたてば「ＯＦＦ」タイマーの機能を動作させることができる。
【考案を実施するための最良の形態】
【０００６】  時間がたてば「ＯＦＦ」タイマーと２４時間「ＯＮ／ＯＦＦ」を繰り返すタイマーのそれぞれの出力電源を同一の出力電源端子に接続する。
【図面の簡単な説明】
【０００７】
【図１】  構成図
【図２】  平面図
【図３】  側面図
【符号の説明】
【０００８】  １  本考案で実現させる電源タイマー本体の入力電源端子
２  時間がたてば「ＯＦＦ」タイマーの入力電源
３  ２４時間「ＯＮ／ＯＦＦ」を繰り返すタイマーの入力電源
４  時間がたてば「ＯＦＦ」タイマー
５  ２４時間「ＯＮ／ＯＦＦ」を繰り返すタイマー
６  時間がたてば「ＯＦＦ」タイマーの出力電源
７  ２４時間「ＯＮ／ＯＦＦ」を繰り返すタイマーの出力電源
８  本考案で実現させる電源タイマー本体の出力電源端子
【図１】
0003121009.tif 000003
【図２】
0003121009.tif 000004
【図３】
0003121009.tif 000005
(57)【要約】【課題】      本考案は、従来の衣裳ケース引き出し内に衣類分別ボックスを設け、使用時の奥行きの深い使いにくさを解消し、衣裳ケース前部全面をも使用可能とし、衣類の分別を可能とするとともに衣類の入れ替えの時間を短縮する。【解決手段】  本考案は、従来の衣裳ケース引き出し内に衣類分別ボックスを内設し、衣類の入れ替え時、前後に衣類分別ボックスを移動自在となるようにし引き出し前部全面を使用可能とし、季節による衣類の入れ替え時の時間的・労働的負担の軽減を図ることに役立つ。【選択図】図１
0003121003.tif 000002
【実用新案登録請求の範囲】
【請求項１】
衣裳ケース引き出し内に箱を設け、衣類を分別するとともに、季節に応じて衣類の入れ替え時、前後に箱を移動自在としたところを特徴とする衣類分別ボックス
【考案の詳細な説明】
【技術分野】
【０００１】      本考案は、衣裳ケース引き出し内に設ける衣類分別ボックスに関するものである。
【背景技術】
【０００２】      従来の衣裳ケースの引き出しは、奥行きが深すぎ１ケース内で衣類の分別ができなかった。
【考案の開示】
【考案が解決しようとする課題】
【０００３】      従来の衣裳ケースの引き出しは、奥行きが深いため使用しにくく、また季節による衣類の入れ替えは時間的・労働的負担である。引き出し内に春・夏用衣類ボックスと秋・冬用衣類ボックスを設けることにより衣類の入れ替えの作業が短時間に可能になり前述の欠点を解決しようとするものである。
【課題を解決するための手段】
【０００４】      本考案は、衣裳ケース引き出し内に二つの衣類分別ボックスを内設し、季節によって前後に衣類分別ボックスを前後に移動自在とすることにより問題点を解決している。
【考案の効果】
【０００５】      上述のように、本考案の衣類分別ボックスは従来の衣裳ケースの引き出し前部全面が、使用可能となるばかりでなく、ボックスに空洞部を設けてあるので衣類の乾燥を促進し、衣類の入れ替え時の時間短縮として役立つ。
【図面の簡単な説明】
【０００６】
【図１】  春・夏用衣類分別ボックス
【図２】  秋・冬用衣類分別ボックス
【符号の説明】
【０００７】    １衣類分別ボックス本体
２空洞部
【図１】
0003121003.tif 000003
【図２】
0003121003.tif 000004
(57)【要約】      （修正有）【課題】男性股間の密着を防ぎ歩行しやすい様にする。【解決手段】下着の内部に伸縮性の繊維素材を二カ所に取り付ける。【選択図】図１
0003121008.tif 000002
【実用新案登録請求の範囲】
【請求項１】
トランクス、申又等の下着内部に伸縮のある素材で両足の付け根部分と男性自身との間に取り付けて密着を防ぐ目的を特徴とする男性股間密着防止下着
【考案の詳細な説明】
【技術分野】
【０００１】本考案は男性下着に関するものである。
【背景技術】
【０００２】従来の男性下着には股間の密着を防ぐ物はなかった。
【考案の開示】
【考案が解決しようとする課題】
【０００３】従来の下着では股の付け根部分と男性自身が密着しても引きはなすには外部から手を使う必要があったが手を使う必要をなくする事を課題とする。
【課題を解決するための手段】
【０００４】伸縮性の繊維素材巾１０ｃｍ前後で長さ２０ｃｍ前後を下着の内部に取り付ける考案をした。（図１）
【考案の効果】
【０００５】これにより男性の密着した股間を引きなす為に路上や人前であってもズボンの股間を手で引きはなしている行為は見苦しく、密着したままでは歩きにくい。
本考案は股間密着を防ぐ事で歩きやすくするものである。
【考案を実施するための最良の形態】
【０００６】下着の大、小のサイズによって異なるがＬサイズの下着を基準とした場合こは長さ約２０ｃｍぐらいの伸縮素材を前部、後部共、上から約１０ｃｍぐらいの位置から下方え縫いつける。
【図面の簡単な説明】
【０００７】
【図１】本考案に係る下着の前方斜め俯瞰図である。
【符号の説明】
【０００８】Ａ  下着に取り付ける伸縮性の素材
ＢＢ′  前部取付位置で間隔は約８ｃｍ
ＣＣ′  後部取付位置で間隔は約５ｃｍ
【図１】
0003121008.tif 000003
(57)【要約】      （修正有）【課題】ＵＳＢ（ユニバーサルシリアルバス）ブリッジの出力端をメモリ装置に接続せしめる必要はなく、コンピュータ本体内のバックアップデータを所定経路の他のメモリ装置にストレージできるユニバーサルシリアルバスバックアップ装置を提供する。【解決手段】ユニバーサルシリアルバスバックアップ装置は、バックアップアプリケーションプログラムを内蔵したコンピュータ本体１と、押しボタン２１を有するＵＳＢブリッジ２とを具備し、ＵＳＢブリッジ２内には擬似ハードディスクが設けられている。これによって、ＵＳＢブリッジ２の出力端をメモリ装置に接続せしめる必要はなく、コンピュータ本体内のバックアップデータを所定経路の他のメモリ装置にストレージできる効果を達成できる。【選択図】図１
0003121035.tif 000002
【実用新案登録請求の範囲】
【請求項１】
バックアップアプリケーションプログラムを内蔵したコンピュータ本体と、
押しボタンを有するユニバーサルシリアルバスブリッジと、を具備し、
前記ユニバーサルシリアルバスブリッジ内には擬似メモリ装置が設けられている、
ことを特徴とするユニバーサルシリアルバスバックアップ装置。
【考案の詳細な説明】
【技術分野】
【０００１】
本考案は、ＵＳＢ（ユニバーサルシリアルバス）ブリッジの出力端をメモリ装置に接続せしめる必要はなく、コンピュータ本体内のバックアップデータを所定経路の他のメモリ装置にストレージできるユニバーサルシリアルバスバックアップ装置に関する。
【背景技術】
【０００２】
現在、大部分のコンピュータのユーザは、殆どコンピュータでデータ管理をしている。しかし、その苦労をかけて作り上げた莫大なデータが、ハッカーやウィルスに侵入されると、その損失は一朝一夕で回復できるほどではない。よって、データが破壊される時に挽回できるチャンスを確保するために、大部分の人はデータを定期的にバックアップしてファイルにしている。個人の場合は、通常、簡易型のバックアップアプリケーションプログラム（ＡＰ）を用い、即ち、コンピュータ本体内にバックアップアプリケーションプログラム（ＡＰ）を加え、また、コンピュータ本体にプリセットされたＵＳＢコンセントでＵＳＢブリッジ（ＵＳＢ ＢＲＩＤＧＩＮＧ）に接続する。さらに、ＵＳＢブリッジには押しボタンが設けられ、また、ＵＳＢブリッジの後端部にバックアップデータをストレージするハードディスクが接続される必要がある。コンピュータがオンされた時に、作業システムは、先ず、ＵＳＢブリッジに接続しているハードディスクの有無を検出する。作業システムにより、ＵＳＢブリッジがハードディスクに接続されていないと検出されると、作業システムにより、システムから該ＵＳＢ装置が自動的に除去される。ハードディスクがあると検出された後には、該バックアップアプリケーションプログラム（ＡＰ）によりバックアップストレージの準備が行われる。ＵＳＢブリッジの押しボタンが押されると、該バックアップアプリケーションプログラム（ＡＰ）により、コンピュータ本体内のデータを外部接続のハードディスクにバックアップしておくことができる。しかし、このような簡易型バックアップ装置は、システム内のハードディスクのデータを低速なＵＳＢを介して外部のハードディスクにバックアップしており、このようなデータバックアップ方式に対して、他の高速伝送のインターフェースに適合していない。これは、一般の高速インターフェースが、特定のシステム駆動プログラム及びソフトウェアを供給される限りにこのようなバックアップ方式を使用できるためである。
【考案の開示】
【０００３】
前記バックアップ装置の様々な欠点を鑑み、本考案者はその不完備を感じ、研究に専念し、さらに長年以来この領域で積み立てた経験により、ＵＳＢブリッジの出力端をメモリ装置に接続せしめる必要はなく、コンピュータ本体内のバックアップデータを所定経路の他のメモリ装置にストレージできるユニバーサルシリアルバスバックアップ装置を開発した。
【０００４】
本考案の主な目的は、ＵＳＢブリッジの出力端をメモリ装置に接続せしめる必要はなく、コンピュータ本体内のバックアップデータを所定経路の他のメモリ装置にストレージできるユニバーサルシリアルバスバックアップ装置を提供することである。
【０００５】
前記目的を達成するために、本考案は、バックアップアプリケーションプログラムを内蔵したコンピュータ本体と、押しボタンを有するＵＳＢブリッジとを具備し、前記ＵＳＢブリッジ内には擬似メモリ装置が設けられる、ユニバーサルシリアルバスバックアップ装置を提供する。これによって、ＵＳＢブリッジの出力端をメモリ装置に接続せしめる必要はなく、コンピュータ本体内のバックアップデータを所定経路の他のメモリ装置にストレージできる効果を達成できる。
【０００６】
本考案の目的、特徴及び効果のより良い理解のために、下記のような具体的な実施の形態及び添付図面を用いて、本考案について詳しく説明する。
【０００７】
図１は、本考案のブロック図である。図に示すように、該ユニバーサルシリアルバスバックアップ装置は、バックアップアプリケーションプログラムを内蔵したコンピュータ本体１と、押しボタン２１を有するＵＳＢブリッジ２と、を具備し、該ＵＳＢブリッジ２内には擬似メモリ装置が設けられている。
【０００８】
本考案の装置構成により、該ＵＳＢブリッジ２は擬似ハードディスクを提供する。該擬似ハードディスクは、作業システムの読み取りのための検出に用いることができるが、書き込むことはできない。押しボタン２１が押された後に、該バックアップアプリケーションプログラム（ＡＰ）により、該押しボタン２１が押されたことを検出でき、且つ、プリセットされたストレージバックアップパラメータを自動的に実行する。また、コンピュータ本体１のメモリ装置内のデータをバックアップアプリケーションプログラム（ＡＰ）の経路及びファイル種類の設定に応じて他の異なるメモリ装置内にストレージする。これにより、ＵＳＢブリッジ２の出力端をメモリ装置に接続せしめる必要はなく、コンピュータ本体１内のバックアップデータを所定経路の他のメモリ装置にストレージできる効果を達成できる。また、本考案は、特定の駆動プログラムを用いる必要はなく、一般作業システムの所定の駆動プログラムを用いることだけで、標準のＵＳＢインターフェースで他の高速伝送インターフェースのバックアップ方式を起動でき、製品のアフタサービス及び互換性の問題を減少できる。
【０００９】
以上のように、本考案によるユニバーサルシリアルバスバックアップ装置の設計は、確かに今まで見られない初めて創作された応用であって、その構成が簡潔且つ実用的であり、さらに新規性及び進歩性を備え、実用新案の要件を十分に満たす。
【図面の簡単な説明】
【００１０】
【図１】本考案のブロック図
【符号の説明】
【００１１】
１  コンピュータ本体
２  ＵＳＢブリッジ
２１  押しボタン
【図１】
0003121035.tif 000003
(57)【要約】【課題】  容器の底部は、水垢が発生しやすい。【解決手段】容器の底部に突起物を設け、水はけを良くする。【選択図】図１
0003121032.tif 000002
【実用新案登録請求の範囲】
【請求項１】
底部に突起物を設け、水はけを良くすることを特徴とする容器。
【考案の詳細な説明】
【技術分野】
【０００１】  本考案は、容器に関するものである。
【背景技術】
【０００２】  普段の生活において、容器はさまざまな分野にて利用されている。
【考案の開示】
【考案が解決しようとする課題】
【０００３】  容器の底部は、水溜りが付着しやすく水垢が発生しやすい。
【課題を解決するための手段】
【０００４】  容器の底部に突起物を設けることにより水溜りが付着することを防止する。
【考案の効果】
【０００５】  容器の底部が突起物により底上げされることにより、容器の底部の水はけが良くなり、容器の底部での水垢の発生を防止することができる。
【考案を実施するための最良の形態】
【０００６】  容器の底部の突起物の数は、３から４箇くらいが望ましい。
【図面の簡単な説明】
【０００７】
【図１】  正面図
【符号の説明】
【０００８】１  容器本体
２  底部の突起物
【図１】
0003121032.tif 000003
(57)【要約】      （修正有）【課題】幼児でも開閉口が容易であり、また内容物が外から容易に視認でき、運搬中に内容物を取り出して遊びたいという欲求を回避して道路交通上の安全性を確保することができる袋の提供。【解決手段】開口部が袋に付属した数箇所のバンドに紐を通した構造であり、緊縛しては閉口しない状態を保ち、さらに、袋本体底部半分を網状、あるいは数本のひも状で構成することで、内容物が収納されている状態をユーモラスなものとし、幼児が内容物を取り出して遊ぶ欲求を持つよりもむしろ、内容物の収納された状態の袋を運搬することを好むようにした。【選択図】図１
0003121040.tif 000002
【実用新案登録請求の範囲】
【請求項１】
開口部の形状が数箇所のバンドに紐を通した構造であり、紐を絞ることにより内容物が安易に出ない程度には閉口するが、緊縛しては閉口しない状態を保つことを特徴とする袋
【請求項２】
袋本体底部半分が網状、あるいは数本の紐状で構成されたボールを入れる用途である請求項１記載の袋
【考案の詳細な説明】
【技術分野】
【０００１】本考案は袋の形状に関する。
【背景技術】
【０００２】従来、袋としていわゆるズダ袋が汎用されている。ボールの袋としては網状の袋も汎用されている。
【考案の開示】
【考案が解決しようとする課題】
【０００３】従来、袋として汎用されているいわゆるズダ袋や、ボールなどの運搬に汎用されている網状の袋は、開口部がわかりにくかったり、開口部が小さく固く緊縛する形状である。このため幼児や高齢者などでは、内容物を出し入れに手間取ることが見受けられていた。【０００４】さらに、幼児ではその特質上、内容物そのものに対する興味が大きく、単に袋に入れて運ぶという作業にしても一定の楽しさを求める傾向が見受けられる。例えばボールなどを運搬する際、袋に入れたまま歩行することを好まず、時折袋から出して歩行しながらそれで遊びたいという欲求を回避できず、道路交通上の安全性の問題点としても指摘されていた。
また、子供は袋本体を地面に引きずって歩くこともあり、袋の汚れはかなりのものであった。
【課題を解決するための手段】
【０００５】本考案者は、これらの問題点を解決するため、開口部が袋に付属した数箇所のバンドに紐を通した構造であり、紐を絞ることにより閉口する仕組みであるが、緊縛しては閉口しない状態を保つことを特徴とする袋を考案し、さらに、袋本体底部半分を網状、あるいは数本のひも状で構成することで、内容物が収納されている状態をユーモラスなものとし、幼児などが内容物を取り出して遊ぶ欲求を持つよりもむしろ、内容物の収納された状態の本考案の袋を運搬することを好むようにした。
【考案の効果】
【０００６】本考案の袋により、幼児でも開閉口が容易であり、また内容物が外から容易に視認でき、運搬中に内容物を取り出して遊びたいという欲求を回避して道路交通上の安全性を確保する効果を得た。【０００７】すなわち本考案では、幼児にサッカーボールやドッジボールを運搬させるときなど、従来の網状の袋やズダ袋ではその開口部がわかりにくく、小さく固く緊縛されているため内容物の出し入れが容易ではなかった問題点に対し、開口部をバンドに紐を通しただけの構造とすることにより極めて容易に内容物を出し入れできる効果をもたらした。【０００８】また、幼児はその特質上、路上でもボール遊びをしたがるものであり、従来の袋では内容物を取り出して遊びたいという欲求に屈しきれないという問題点に対し、本考案の袋では、内容物を視認でき、また内容物が収納された状態がむしろユーモラスであるため、かえって内容物を取り出そうとはせず袋に入れた状態でそれを運搬することを幼児が楽しむことができるため安全に歩行でき、道路交通上の安全性を確保できるという効果をもたらした。【０００９】また、袋本体の汚れという問題点に対しても、底部を網状あるいは、ひも状とすることで本体の汚れの程度を最小限とし、かつ洗濯・乾燥が容易とする効果をもたらした。【００１０】さらに、内容物の視認が容易であるため、他人の所有物との識別も容易となった。
【考案を実施するための最良の形態】
【００１１】本考案は、子供のボール袋などに利用することができる。
【実施例】
【００１２】この考案の一実施例について、以下の図面に基づいて詳述する。図面は考案の特徴を備えたボール袋を示した。本体部は丈夫な輪状の布（Ａ）とし、その開口部に縫い付けられた５本のバンド（Ｂ）に紐（Ｃ）を通し持ち手とする。また、持ち手の紐（Ｃ）にはストッパーとして輪（Ｄ）を付けた。本体部底部には帯状の紐（Ｅ）を十字型に縫い付けた。
【図面の簡単な説明】
【図１】本考案に基づくボール袋の斜面図
【符号の説明】
（Ａ）は本体部
（Ｂ）は開口部を構成するバンド
（Ｃ）は持ち手の紐
（Ｄ）は開口部のストッパーとなる輪
（Ｅ）は本体底部
【図１】
0003121040.tif 000003
(57)【要約】      （修正有）【課題】建物の長寿化を計るタイルの提供。【解決手段】右側縁には小高い岡のような突起、左側縁には庇のような突起、上側縁には溝のような低部、裏面には数條の足を持つ四角形の平面タイル。粘土縦４０ｃｍ横３０ｃｍ厚さ１５ｃｍで表面の上縁側はしたに折り曲げるように低部を作り、右側縁には小高い岡のような突起を作り、左側縁には外側を蔽う屋根のような突起を作り、裏面には数條の足を持ち、その足の外側はぎざぎざとなっており、下地と十分接着するようにし。施軸、焼成して完成するのである。最上部は鞍型のタイルを帽子の様にかぶせる。その上に瓦の屋根を作り、水分の浸入のないようにはかる。【選択図】図２
0003121020.tif 000002
【実用新案登録請求の範囲】
【請求項１】
表面の右側縁は小高い岡のような突起、左側縁には庇のような突起、上側縁には折れ曲げたような低部、裏面は数條の足を持った構造の四角形の平面タイル。
【考案の詳細な説明】
【０００１】    環境、建築上に関するものである。〔従来の技術〕
【０００２】    古来建物は人間にとって大切なものである。石造りの物であれ、木造の物であれ、雨露を防ぎ、身を守り、安楽な生活を送る為には重要なものである。そこで建築物、は色々工夫とされ、立派なもの、美しいもの、大きなもの、小さなものと作られてきた。〔本案が解決しようとする課題〕
【０００３】      数百年前に作られた家が未だに健在で人々が利用し、住んでいるものも多くあるが、その一方、現在百年にもならないのに、建て替を余儀なくされている建物も沢山ある。近来建物、殊にセメント造りの建物に長寿命化希望の声が聞かれるようになってきたのも尤もな事である。
【０００４】    コンクリート建物の短命な理由としては、砂が悪いとか、セメントが悪いとか、あるいは環境や、空気が悪いとか鉄骨の質が悪いとか等々が言われていわれており、これらの物を改良する事が長寿命化につながるという事がいわれてきている。又同時にコンクリート建物の長寿命化の為にはこんくりーと内への水の浸入を防ぐ事も大切な事だといわれている。
【０００５】    そこでコンクリート建物の表面をみると、ひびわれがよく出来ており、そこからの水の浸入が考えられるのである。又コンクリート壁にタイルを貼ったものは、そのタイルとタイルとの継ぎ目にいれたメチの隙間から水の浸入があるものとおもはれるのである。〔課題を解決する為の手段〕
【０００６】    そこでコンクリート壁の外側に施釉したタイルを貼り、そのタイルとタイルとの継ぎ目に水が入らないように工夫する必要があるのである。即ち四角形のタイルの上側のタイルと下側のタイル。右側のタイルと左側のタイルとの関係をうまくして水の浸入のないようにするのである。
【０００７】      我々は先にそのような趣旨の防水タイルの工夫をしたのであるが今回その上にさらに改良を加えたのである。即ちタイルの表面の右側縁には小高い岡のような突起を作り、左側縁には外側を蔽う屋根の様な突起を作り、上縁には下にもぐるような低部を作るのである。又裏面には数條のぎざぎざをもった突起の足をつけた平面タイルを作るのである。即ちひとつのタイルの右側縁は小高い岡のような突起で水を防ぎ、又左側縁は屋根のように隣のタイルを蔽って水を防ぎ、又上縁は上側のタイルの下にもぐって水の浸入を防ぎ、裏面には数條のぎざぎざの凹凸をした足を持って、タイルを地に密着して十分接合するように図るのである。かくしてコンクリート壁表面からの水の浸入はふせげるのである。
【実施例】
【０００８】    粘土縦４０ｃｍ横３０ｃｍ厚さ１５ｃｍで表面の上縁側はしたに折り曲げるように低部を作り、右側縁には小高い岡のような突起を作り、左側縁には外側を蔽う屋根のような突起を作り、裏面には数條の足を持ち、その足の外側はぎざぎざとなっており、下地と十分接着するようにし。施軸、焼成して完成するのである。最上部は鞍型のタイルを帽子の様にかぶせる。その上に瓦の屋根を作り、水分の浸入のないようにはかる。
【考案の効果】
【０００９】    コンクリート壁表面に上記のようなタイルを用いれは、外からの水分の浸入がなく、壁の寿命はきわめて長く保てるとおもわれる。構造簡単、製作容易、安価である。
【図面の簡単な説明】
【００１０】
【図１】斜位図
【図２】正面図
【図３】側面図
【図４】水平面図
【符号の説明】
Ａ．．．．．．．．．．．．．．．．右側小高い岡状の突起Ｂ．．．．．．．．．．．．．．．．左側庇様の突起Ｃ．．．．．．．．．．．．．．．．低部Ｄ．．．．．．．．．．．．．．．．屈曲部Ｅ．．．．．．．．．．．．．．．．平面部Ｆ．．．．．．．．．．．．．．．．脚
【図１】
0003121020.tif 000003
【図２】
0003121020.tif 000004
【図３】
0003121020.tif 000005
【図４】
0003121020.tif 000006
(57)【要約】      （修正有）【課題】家庭等で少量の漬物を容器や重石なしで出来る漬物道具、スペースをとりにくい冷蔵庫内で短期．中期に置ける漬物道具、手軽で簡単、仕込みや後片付け、収納が容易な漬物道具を提供する。【解決手段】袋の中に入った漬物素材を巻き締める圧縮力と、元の形状に繰り返し復元する弾力性を有するスパイラル弾性コイルとその端部につけた掛止具又は挟持具で構成される。【選択図】図１
0003121013.tif 000002
【実用新案登録請求の範囲】
【請求項１】
袋の中に入った漬物素材を巻き締める圧縮力と、元の形状に繰り返し復元する弾力性を有するスパイラル弾性コイルからなることを特徴とする漬物道具。
【請求項２】
スパイラル弾性コイルの端部に掛止具又は挟持具をつけたことを特徴とする請求項１の漬物道具。
【考案の詳細な説明】
【技術分野】
【０００１】家庭等で少量の漬物を容器や重石なしで出来る漬物道具の創案である。
【背景技術】
【０００２】ホーロー容器、瓶、ガラス容器、タッパー、ボール、バット等の容器と人工漬物石、自然石、レンガ、ビニール袋入り小石等の重石が必要である。ネジ式、バネ式押し蓋付きプラスチック容器は嵩張り清掃も面倒である。
【考案の開示】
【考案が解決しようとする課題】
【０００３】従来の漬物道具は嵩張る容器と重石が必要で狭い所例えば冷蔵庫内で使うには不向きで、更に準備、清掃、後片付け、収納も面倒である。
【課題を解決するための手段】
【０００４】従来の漬物道具は上から圧縮するが、本案はスパイラル方向からの巻き締めで圧縮する。
【考案の効果】
【０００５】１．  漬物素材に螺旋の複雑な締め込みの圧縮力が加わり続け元の形状になれば止まり、複雑な味わいと軟らかさのある漬物になる。
２．  容器類や重し等嵩張るものを必要とせず、密閉用ビニール袋に漬物素材と塩を混ぜて巻きかけるだけなので仕込みや後片付けが簡単である。
３．  少量の漬物素材を手軽に漬けられ即席漬け、一夜漬け、二度漬けも簡単である。
４．  スペースをとりにくいので冷蔵庫内で短期、中期におけるからいろいろな漬物（塩漬け、糠漬け、酒粕漬け、味噌漬け、醤油漬け、キムチ風味漬け等）を容易に楽しめる。
５．  多数回使用できて不使用時にはコンパクトな原型に縮むので収納や持ち運びが楽である。
【実施例１】
【０００６】（図１）１のウレタン製コイルホースは巻き径が拡大したり、伸長したときに元の形状と巻き径に繰り返し復元する弾力性を有する。中実のコイルでもよい。その両端に取り付けた２−１．２−２のローレット付きつまみは漬物素材入りのビニール袋にめりこみ両端を掛止させるものである。
（図２−１）２のローレット付きつまみはローレット加工したギザギザで滑り難くコーナーは角ばって引っ掛かり易い。ギザギザは斜めでもクロスでもよい。
（図３）Ｂの密閉用ビニール袋に塩を混ぜた野菜などのＴの漬物素材が入っていて１のウレタン製コイルホースが巻きほぐしながら巻きかけてある。
巻き径が拡大し伸長し復元力で圧縮力がかかっている状態である。
２−１．２−２のローレットつまみは漬物素材入ビニール袋の端の方に引っ掛かり袋にめり込んで滑らないよう拘束し圧縮力がかかり易くなっている。漬け終れば巻き戻して取り去れば塑性変形せずにバネで原型に戻り繰り返し多数回使用できる。
【実施例２】
【０００７】（図２−２）３の凸凹付き球状つまみは表面に施された凸凹で滑り難くビニール袋にめり込み掛止させる。
（図２−３）４の挟持バサミはビニール袋を挟んで動かないようにするものである。
（図２−４）５のヒトデ型つまみは放射状に尖った先をもちビニール袋に引っ掛かってめり込み掛止させる。
（図２−５）６のフック型つまみは引っ掛かり易くビニール袋にめり込み掛止させる。
（図２−６）７のゴム製コマ型つまみは引っ掛かり易くビニール袋にめり込み掛止させる。
・何れも［実施例１］のウレタン製コイルホースのみが勝手に縮むことのないようにしてビニール袋を拘束し易くする。そして圧縮力を漬物素材に伝え易くする。
又巻き込みと巻き戻しの起点となったり、つまみ本来の役目をする。
・Ｓ−１．Ｓ−２．Ｓ−３．Ｓ−４．Ｓ−５．Ｓ−６の心棒部は、コイルホースの孔に嵌挿して固定させる部分である。
【実施例３】
【０００８】（図４）８の合成樹脂製コイルベルトの両先端に８−１．８−２の星型つまみがビス止めされている。作用効果及び使用方法は［実施例１］と同じである。
【図面の簡単な説明】
【０００９】
【図１】本考案［実施例１］の全体を表す斜視図。
【図２】本考案［実施例１］で用いる掛止具又は挟持具で、［実施例２］の斜視図。
【図３】本考案［実施例１］の使用状態を表す斜視図。
【図４】本考案［実施例３］の全体を表す斜視図。
【符号の説明】
【００１０】１．  ウレタン製コイルホース
２．  （２−１）（２−２）ローレット付きつまみ
３．  凸凹付き球状つまみ
４．  挟持バサミ
５．  ヒトデ型つまみ
６．  フック型つまみ
７．  ゴム製コマ型つまみ
Ｓ−１．Ｓ−２．Ｓ−３．Ｓ−４．Ｓ−５．Ｓ−６  心棒部
８．  合成樹脂製コイルベルト
８−１．８−２．  星型つまみ
Ｂ．  密閉用ビニール袋
Ｓ．  シール部
Ｔ．  漬物素材
Ｍ．  溝部
Ｒ．  ローレット部
Ｏ．  凸凹部
【図１】
0003121013.tif 000003
【図２】
0003121013.tif 000004
【図３】
0003121013.tif 000005
【図４】
0003121013.tif 000006
(57)【要約】【課題】キャッシュカード等におけるスキミングを防止する。【解決手段】紙片２に電磁波を遮断する電磁波遮断層３が付設されてなるスキミング防止用紙シート、そのスキミング防止用紙シートよりなる名刺、そのスキミング防止用紙シートよりなる封筒挿入用住所記載カード、そのスキミング防止用紙シートよりなる封筒。【選択図】図１
0003121017.tif 000002
【実用新案登録請求の範囲】
【請求項１】
紙片に電磁波を遮断する電磁波遮断層が付設されてなるスキミング防止用紙シート。
【請求項２】
請求項１記載のスキミング防止用紙シートよりなる名刺。
【請求項３】
請求項１記載のスキミング防止用紙シートよりなる封筒挿入用住所記載カード。
【請求項４】
請求項１記載のスキミング防止用紙シートよりなる封筒。
【考案の詳細な説明】
【技術分野】
【０００１】  この考案は、スキミング防止用紙シートに関する。
【背景技術】
【０００２】  最近、カードのスキミングによる犯罪が多く発生している。カードのスキミングは混雑する電車内等でカバンや衣服ポケットに収められる財布内のカードのデータが読み取り機で読み取られることで行なわれる。また、銀行等から顧客に封筒に入れられて送られるカードにおいてもスキミング犯罪が発生している。
【考案の開示】
【考案が解決しようとする課題】
【０００３】  この考案では、容易にカードのスキミングを防止できるようにする。
【課題を解決するための手段】
【０００４】  この考案では、紙片に電磁波を遮断する電磁波遮断層が付設されてなるスキミング防止用紙シートを提供する。さらにそのスキミング防止用紙シートよりなる名刺を提供する。さらに、そのスキミング防止用紙シートよりなる封筒挿入用住所記載カードを提供する。さらに、そのスキミング防止用紙シートよりなる封筒を提供する。【０００５】  上記構成のスキミング防止用紙シートにデータ読み取り面を向けるようにキャッシュカード等を配置することで、電磁波である読み取り信号はその電磁波遮断層に遮断され読み取りによるスキミングが防止される。電磁波遮断層は金属箔を貼ったり、また、金属蒸着層を設けることで形成する。【０００６】  このスキミング防止用紙シートよりなる名刺をキャッシュカード等に相対する位置において財布内等に入れておくことで、別途スキミング防止用カード等を使用することなくスキミングの防止が行なえる。【０００７】  このスキミング防止用紙シートよりなる封筒挿入用住所記載カードを用いた封筒によりキャッシュカード等を配送することで別途スキミング防止用カード等を使用することなく配送時のスキミングの防止が行なえる。【０００８】  このスキミング防止用紙シートよりなる封筒によりキャッシュカード等を配送することで、別途スキミング防止用カード等を使用することなく配送時のスキミングの防止が行なえる。
【考案の効果】
【０００９】  この考案によれば、キャッシュカード等におけるスキミングの防止が容易に行なえるようになり、とくに、名刺、封筒挿入用住所記載カード、封筒それぞれとして使用することで、別途スキミング防止構成をとることなくスキミングの防止が行なえ便利である。
【考案を実施するための最良の形態】
【００１０】図１はこの考案のスキミング防止用紙シートの第１の実施形態の一部切欠断面斜視図である。スキミング防止用紙シートは名刺１とされ、２枚の紙片２間に電磁波遮断層としてのアルミ箔３が積層状態に設けられて構成され、表面には通常の名刺と同様に会社名や氏名等の表示模様４が付されている。【００１１】  図２は上記名刺１の使用状態を示し、名刺１は財布１０の奥側のポケット１１内に納めその手前側のポケット１２内にそのデータ読み取り面を名刺１側に向くようにキャッシュカード１３を納める。このように財布１０内に名刺１をキャッシュカード１３に相対する位置において配置することで、この財布１０がカバンや衣服ポケットに入れられている状態において、外部からのキャッシュカードへのデータ読み取り信号（電磁波）は名刺１のアルミ箔３により遮断され、これによりデータの読み取り、すなわち、スキミングが防止される。【００１２】  図３はこの考案のスキミング防止用紙シートの第２の実施形態の使用状態の斜視図、図４はその断面図である。スキミング防止用紙シートは封筒挿入用住所記載カード２０とされ、この封筒挿入用住所記載カード２０も上記実施形態の名刺１と同様に２枚の紙片２間に電磁波遮断層としてのアルミ箔３が積層状態に設けられて構成されている。封筒挿入用住所記載カード２０はキャッシュカード等の配送用の封筒２１内にその住所の記載面２２が封筒２１の窓部２３から見えるように納められ、その裏面にデータ読み取り面を相対するようしてキャッシュカード１３が粘着テープで貼り付けられる等して取り付けられる。このような配送形態がとられることで、封筒挿入用住所記載カード２０のアルミ箔３により読み取り信号が遮断され、これによりカード配送時のデータのスキミングが防止される。【００１３】  図５はこの考案のスキミング防止用紙シートの第３の実施形態の断面図である。スキミング防止用紙シートはキャッシュカード等の配送用の封筒３０を構成するように用いられ、紙片３１の一方面側の全体にアルミ箔３が貼られ、そのアルミ箔３面を内側とするようにして封筒３０は構成され、その外観は従来一般の封筒と同様である。この封筒３０内にキャッシュカード１３が入れられて配送されることで、外部からの読み取り信号はその内面のアルミ箔３により遮断され、これによりカード配送時のデータのスキミングが防止される。
【図面の簡単な説明】
【図１】この考案のスキミング防止用紙シートの第１の実施形態である名刺の一部切欠断面斜視図
【図２】この考案のスキミング防止用紙シートの第１の実施形態である名刺の使用状態説明図
【図３】この考案のスキミング防止用紙シートの第２の実施形態である封筒挿入用住所記載カードの使用状態の外観斜視図
【図４】この考案のスキミング防止用紙シートの第２の実施形態である封筒挿入用住所記載カードの使用状態の断面図
【図５】この考案のスキミング防止用紙シートの第３の実施形態である封筒の断面図
【符号の説明】
１  名刺（スキミング防止用紙シート）
２  紙片
３  アルミ箔（電磁波遮断層）
【図１】
0003121017.tif 000003
【図２】
0003121017.tif 000004
【図３】
0003121017.tif 000005
【図４】
0003121017.tif 000006
【図５】
0003121017.tif 000007
(57)【要約】【課題】  ジグソーパズルを書物にまとめることにより何種類ものジグソーパズルで遊べる事と保管を容易にすることを目的とするものである。【解決手段】  書物の各ページにジグソーパズル完成外寸と同じ凹部の収納部を形成されている。書物に複数のジグソーパズルを収納することで保管が容易に出来る。本考案のジグソーブックは上記ジグソーパズル自体が書物のページを成していることである。【選択図】図１
0003121050.tif 000002
【実用新案登録請求の範囲】
【請求項１】
書物のページをジグソーパズルにし書物としての楽しみと保管し易さ、ジグソーパズルの遊びの要素を掛け合わせた書物。
【考案の詳細な説明】
【技術分野】
【０００１】  この考案は、書物のページをジグソーパズルにし  書物としての楽しみと保管し易さ、何種類ものジグソーパズルをいちどに遊ぶ事が出来る要素を掛け合わせる事に関するものである。
【背景技術】
【０００２】  従来、ジグソーパズルは絵や写真等が印刷された物で、異なる係合部で複数のピースに分解可能に形成された物であり、各ピースは元の完成された絵や写真等が確認できない程度に分割されており、これを一旦分解してから  各ピースを組み合わせ元の絵や写真等の絵柄を復元する事を遊びとするものである。このジグソーパズルは個々で構成されているものでありジグソーパズルの保管に関しても額に収め壁等に飾るしかなく容易ではなかった。
【考案の開示】
【考案が解決しようとする課題】
【０００３】  上記の様に、ジグソーパズルを書物にまとめることにより何種類ものジグソーパズルで遊べる事と保管を容易にすることを目的とするものである。
【課題を解決するための手段】
【０００４】  以上の課題を解決するために、第一考案は、書物の各ページにジグソーパズル完成外寸と同じ凹部の収納部を形成されている。書物に複数のジグソーパズルを収納することで保管が容易に出来る。本考案のジグソーブックは上記ジグソーパズル自体が書物のページを成していることである。
【考案の効果】
【０００５】  本考案によれば、書物のページ自体がジグソーパズルで形成されることによって、例えば、物語のページに描かれた絵、背景、文字等のジクソーパズルは色彩、物の形を識別し指先で立体的に遊ぶことにより物語の内容をより深く理解させることが出来る。【０００６】  上記の構成において、ジグソーパズルを書物にまとめることにより本棚等に保管が出来るため場所を選ばず保管が可能となる。
【考案を実施するための最良の形態】
【０００７】  この考案の一実施形態を、図１に示す。
【図面の簡単な説明】
【０００８】
【図１】この考案の一実施形態を示す図である。
【符号の説明】
【０００９】１表紙          ２ピース
３パズル収納部
【図１】
0003121050.tif 000003
(57)【要約】【課題】浴室の隅々まで簡単にしかも確実に清掃ができる浴室用清掃具を提供する事を目的とする。【解決手段】硬質プラスチック板に鼻緒を設け、その硬質プラスチック板を板状スポンジ上面に重ね合せ一体化した事を特徴とする。従って足の指で鼻緒を挿めば手作業でしか出来なかった清掃が立姿勢で浴室、浴槽の底面並びに低側面を安定した状態で清掃が可能になり、高い場所においても手の中指で鼻緒を挿む事により安定した状態で清掃ができる。【選択図】図１
0003121041.tif 000002
【実用新案登録請求の範囲】
【請求項１】
板状スポンジの上面に硬質プラスチック板を設け、この硬質板に鼻緒を取りつけた事を特徴とする浴室用清掃具。
【請求項２】
鼻緒は、ビニール素材で構成した事を特徴とする請求項１記載の浴室用清掃具。
【考案の詳細な説明】
【技術分野】
【０００１】  本考案は浴室内の床面、壁面及び浴槽内を清掃する浴室用清掃具に関するものである。
【背景技術】
【０００２】  従来、浴室内を清掃する時は、板状スポンジを用いて背屈みの姿勢で清掃していた。
【考案の開示】
【考案が解決しようとする課題】
【０００３】従来のスポンジでは背屈みした姿勢で清掃する為肉体的負担が大きく、又手元が滑る事が多々起っていたので短時間できれいに清掃する事が出来なかった、
本考案はこの様な欠点を解決しようとするものである。
【課題を解決するための手段】
【０００４】本考案は、鼻緒を設けた硬質プラスチック板を板状スポンジの上面に重ね合わせて清掃具を構成した。
【考案の効果】
【０００５】上述の様に、本考案の浴室用清掃具は鼻緒を設けた事により、片手、手の指に挿んで清掃できるので洗浄液による滑りを防ぐことができる。また足の中指に挿んで立ち姿勢で浴室の隅々まで清掃が出来、足の筋肉トレーニングにもなり健康的である。
【考案を実施するための最良の形態】
【０００６】縦１８０ｍｍ横１１０ｍｍ厚さ５ｍｍに形成した硬質プラスチック板２の上面に鼻緒６を取り付ける。具体的には図２と図３に基づいて説明する。
硬質プラスチック板２にビニール製の鼻緒６を２つ折にしてその中央部を穴３にさしこみ引掛具を通して固定する。また鼻緒６の両端を穴４．５にそれぞれ通し、そして硬質プラスチック板２の裏面中心位置にて締め付け具７で固定する。鼻緒６を取り付けた硬質プラスチック板２を図１の板状スポンジ１の上面に重ね合わせ、接着剤で固着した。この板状スポンジ１は縦２００ｍｍ横１３０ｍｍ厚さ４５ｍｍで形成する。
【図面の簡単な説明】
【０００７】
【図１】本考案の浴室用清掃具の斜視図である。
【図２】同じく浴室用清掃具に使用する硬質プラスチック板の斜視図である。
【図３】図２の裏面を示す斜視図である。
【符号の説明】
【０００８】１  板状スポンジ
２  硬質プラスチック板
３  鼻緒を通す穴
４  硬質プラスチック板の鼻緒を通す穴
５  硬質プラスチック板の鼻緒を通す穴
６  鼻緒
７  締め付け具の位置
【図１】
0003121041.tif 000003
【図２】
0003121041.tif 000004
【図３】
0003121041.tif 000005
(57)【要約】【課題】本考案は、ＡＣプラグを備えた電気機器（ＡＣアダプタを含む）において、ＡＣコンセントがない状況に陥ったとしても、電源を得ることにより、所望の使用を可能とすることを目的とする。【解決手段】本考案は、手動ハンドルの回転運動によって発電を行う発電手段と、前記発電手段と電気的に接続するＡＣコンセント部を有して成り、ＡＣコンセント部に電気機器と接続するＡＣプラグが差し込まれ、電気機器に対して電気を供給することを特徴とする携帯発電器である。【選択図】図２
0003121100.tif 000002
【実用新案登録請求の範囲】
【請求項１】
発電手段と、前記発電手段と電気的に接続するＡＣコンセント部を有して成り、ＡＣコンセント部に電気機器と接続するＡＣプラグが差し込まれ、電気機器に対して電気を供給することを特徴とする携帯発電器。
【請求項２】
前記発電手段が、手動ハンドルの回転運動によって発電を行うことを特徴とする請求項１記載の携帯発電器。
【請求項３】
前記発電手段が、ソーラパネルによってソーラ発電を行うことを特徴とする請求項１記載の携帯発電機。
【考案の詳細な説明】
【技術分野】
【０００１】
本発明は、電源を確保することが困難な状況であっても、携帯電話機やノートパソコン等の電気機器に対して容易に電気を供給することができる携帯式の発電器に関する。
【背景技術】
【０００２】
携帯電話機やノートパソコン等の電気機器は、通常、家庭用のＡＣコンセントに接続されて充電ないし使用される。
【考案の開示】
【考案が解決しようとする課題】
【０００３】
つまり、ノートパソコンや携帯電話機の充電器等はＡＣプラグを有しており、そのＡＣプラグを家庭用のＡＣコンセントに差し込んで使用するものであるため、電源たるＡＣコンセントの無い場所では電源を得ることができず、ノートパソコンや携帯電話機の使用ないし充電が不可能になる状況に陥る場合がある。特に災害時には電源の確保は困難であり、また、蓄電池を用いる場合であっても交換用蓄電池の数量に限界がある。
【０００４】
したがって、本考案は、ＡＣプラグを備えた電気機器（ＡＣアダプタを連結してＡＣプラグを備える電気機器を含む）において、ＡＣコンセントがない状況に陥ったとしても、電源を得ることにより、所望の使用ないし充電を可能とすることを目的とする。
【課題を解決するための手段】
【０００５】
そこで、本考案は、発電手段と、前記発電手段と電気的に接続するＡＣコンセント部を有して成り、ＡＣコンセント部に電気機器と接続するＡＣプラグが差し込まれ、電気機器に対して電気を供給することを特徴とする携帯発電器である。
【０００６】
また、請求項２に係る考案は、前記発電手段が、手動ハンドルの回転運動によって発電を行うことを特徴とする請求項１記載の携帯発電器である。
【０００７】
また、請求項３に係る考案は、前記発電手段が、ソーラパネルによってソーラ発電を行うことを特徴とする請求項１記載の携帯発電機である。
【考案の効果】
【０００８】
本考案の携帯発電機は、ＡＣコンセント部にＡＣプラグを介して接続された電気機器の電源となり、家庭用のＡＣコンセントが無い場所においても、電気機器に対して電気を供給することが可能となり、電気機器の所望の使用ないし充電が可能となる。
【考案を実施するための最良の形態】
【０００９】
以下、本考案を実施するための最良の形態を、実施例として示す各図と共に説明する。
【実施例】
【００１０】
図１ないし図２は本考案の実施例である。図１は、本考案である携帯発電器Ａを表す斜視図、図２は携帯発電器Ａに電気機器Ｂ（具体例としての携帯電話機で示す。）が接続されている状態図である。
【００１１】
本考案の携帯発電器は、図１のとおり、本体１と、ハンドル２と、ＡＣコンセント部３とからなる。
【００１２】
本体１は略矩形状の筺体であり、その側面にハンドル２と、ＡＣコンセント部３を設けている。
【００１３】
本体１は、手動式の発電手段と、この発電手段と接続した増速機とを内蔵している。
【００１４】
手動式の発電手段は、発電軸、コイル、磁気コア等を組設して成り、ハンドル２の回転により発電するものである。
【００１５】
増速機は、前記発電機の発電軸に対して機械的に接続された増速ギアを組み合わせたものである。
【００１６】
なお、電気的に接続した充電手段を備えることもでき、手動式の発電手段で発電した電力を充電する。充電手段としては充電放電可能なバッテリーを用いることができ、手動式の発電手段と電気的に接続することになる。
【００１７】
ＡＣコンセント部３は、電気機器Ｂの有するＡＣプラグ４がコード５を介して差し込まれるものである。なお、電気機器に直接的に設けられたＡＣプラグの場合は、そのＡＣプラグがＡＣコンセント部３に差し込まれる。
【００１８】
以上のような携帯発電器Ａは、電気機器Ｂの有するＡＣプラグ４（ＡＣアダプタ）を、本体１の側面に設けられたＡＣコンセント３に差し込んだ状態でハンドル２を回転運動させると、本体１内の手動式の発電手段が発電して、電気機器Ｂの電源にとなり、電気機器Ｂに電気を供給するものである。
【００１９】
なお、本実施例は手動式の発電手段として、回転運動するハンドルを有する発電手段を示したが、これに限るものではなく、例えば、把持することによって反復運動可能な操作レバーを有する発電手段とすることもできる（操作レバーの一端を本体側に軸支して、他端を握ったり、離したりする動作を繰り返すことができる発電手段）。また、本実施例は手動のハンドルを有するが、これに限るものではなく、例えば、足で踏みつけることによって反復運動する操作レバーとすることもできる。
【００２０】
また、他の発電手段として、ソーラパネルを用いることもできる。ソーラパネルで発電された電気は充電部に充電され、携帯充電器に設けられたＡＣコンセントを介して電気機器に電気が供給される。
【図面の簡単な説明】
【００２１】
【図１】本考案の実施例の斜視図
【図２】本考案の実施例の使用状態図。
【符号の説明】
【００２２】
１  本体
２  ハンドル
３  ＡＣコンセント
４  ＡＣアダプタ
５  コード
【図１】
0003121100.tif 000003
【図２】
0003121100.tif 000004